(57)【要約】【課題】【解決手段】底部１３と、側部パネル１５、１６と、端部パネル１４、１７、１８、２１、２４と、第１並びに第２の上部パネル２０、２３とを有する厚紙カートン１０が提供されている。第１の上部パネル２０は、ストラップハンドル２５を規定し、ストラップハンドル２５のためのアクセス手段３８を提供する第２の上部パネル２３の下に重なっている。ストラップハンドル２５は、第１の端部パネル２１と、第１の端部パネル２１のストラップハンドル２６の部分に取着された補強部を有する第２の端部パネル２４とに延びている。
2004517782.tif 000002
【特許請求の範囲】
【請求項１】
底部と、この底部から延び、対向して配置された側壁と、各側壁に第１並びに第２の上側端に沿って回動可能に接続された第１並びに第２の上部パネルとを具備し、前記上部パネルの各々は、互いに折り重ねられて一方の上部パネルが他方の上部パネルに対して取着される、対向して配置された２つの端部パネルを有し、前記第１の上部パネルは、第２の上部パネルの下に重なり、また、上側端に平行に配置された部分を有し、上部パネルの長さだけ第１の端部パネルまで延びたストラップハンドルを１つ以上の切断部により構成している部分を有し、前記第２の上部パネルは、ストラップハンドルを把持可能にするアクセス手段を有し、第２の前記端部パネルは、第１の端部パネルのストラップハンドルに関連した部分に接着されて、一対の離間された切断部と、第２の端部パネルと第２の上部パネルとの間の折り重ね部との間に規定された補強部を夫々有する、カートン。
【請求項２】
前記第２の端部パネルの補強部は、折れ易いブリッジによって第２の上部パネルに接続されている、請求項１のカートン。
【請求項３】
前記離間された切断部は、前記上側端上の離間された位置から、互いから離れるように傾斜され、外方に延びた半径部で終端している、請求項１もしくは２のカートン。
【請求項４】
前記ストラップハンドルと各補強部との間の接着された接続部は、補強部の上端付近からこの上端から離れた端部パネルの自由端まで延びている、請求項１乃至３のいずれか１のカートン。
【請求項５】
前記第１の端部パネルでストラップハンドルを規定している切断部は、第２の端部パネルの関連した切断部の下に配置されている、請求項１乃至４のいずれか１のカートン。
【請求項６】
前記第１の上部パネルの中央に配置された部分は、第１の上部パネルの周縁部である、請求項５のカートン。
【請求項７】
前記第２の端部パネルは、ストラップハンドルの上に重なってこれに接着される第２のハンドル部を有する、請求項１乃至６のいずれか１のカートン。
【請求項８】
前記第２のハンドル部は、これの両端部の間に、使用時にストラップハンドルに折り重ねられ得る横方向のフラップを有する請求項７のカートン。
【請求項９】
前記アクセス手段は、第２のハンドル部の中央部のいずれかの一側に開口部を有する、請求項７もしくは８のカートン。
【請求項１０】
前記第２のハンドル部は、前記上側端から離間された横方向切断部の夫々の端で終端した、更なる離間された切断部によって、ハンドル部の縦方向の端で開口部を超えて第２の端部パネルに向かって延びている、請求項９のカートン。
【請求項１１】
前記折れ易いブリッジは、更なる離間された切断部と横方向の切断部とに設けられている、請求項１０のカートン。
【請求項１２】
前記底部は、互いに折り重ねられる、対向して配置された底部の端部パネルを有し、前記各側壁は、対向して配置された側部の端部パネルを有し、前記底部の端部パネルと側部の端部パネルとは、他方の端部パネルを構成する、請求項１乃至１１のいずれか１のカートン。
【請求項１３】
カートンの前記上部パネル、底部パネル、側部パネル及び端部パネルは、実質的に矩形である、請求項１２のカートン。
【発明の詳細な説明】
【０００１】
【発明の属する技術分野】
本発明は、厚紙カートン、特に、これに限定はされないが、マルチパックとして複数のカンもしくは瓶を収容するためのカートンに関する。
【０００２】
【従来の技術】
本発明に係れば、底部と、この底部から延び、互いに対向して配置された側壁と、各側壁にこれの第１並びに第２の上側端に沿って回動可能に接続された第１並びに第２の上部パネルとを有するカートンが提供される。各上部パネルは対向して配置された端部パネルを有する。これら端部パネルは、折り重ねられて、一方の端部パネルが他方の端部パネルに取着される。前記第１の上部パネルは、第２の上部パネルの下に重なり、上側端に平行に配置される部分を有し、１つ以上の切断部によって上部パネルの長さだけ第１の端部パネルまで延びたストラップハンドルを構成する。第２の上部パネルは、ストラップハンドルを把持可能にするアクセス手段を有する。第２の端部パネルは、第１の端部パネルのストラップハンドルに関連した部分に接着されて、互いに離間された一対の切断部と、第２の端部パネルと第２の上部パネルとの間の折り重ね線との間に規定された補強部を各々に有する。
【０００３】
【発明が解決しようとする課題】
好ましくは、第２の端部パネルの補強部は、折れ易いブリッジによって第２の上部パネルに接続されている。都合のよいことには、離間された切断部は、上側端の離間された位置から互いから離れる方向に傾斜され、また、外方に延びた半径部で終端している。
【０００４】
理想的には、ストラップハンドルと各補強部との間の接着による接続部は、補強部の上端付近から、上端から離れた端部パネルの自由端まで延びている。
【０００５】
【課題を解決するための手段】
好ましい実施形態では、第１の端部パネルにおいてストラップハンドルを規定する切断部が、第２の端部パネルの関連した切断部の下に位置されている。また、第１の端部パネルの中央に配置された部分は、第１の上部パネルの周縁部である。
【０００６】
好ましい特徴は、第２の上部パネルが、ストラップハンドルの上に重なり、これに接着されている第２のハンドル部を有することである。好ましくは、第２のハンドル部は、これの両端の間に、使用時にストラップハンドルに折り重ねられ得る横フラップを有する。
【０００７】
更なる好ましい特徴は、アクセス手段が、第２のハンドル部の中央部のいずれか一側に開口部を有することである。更に、第２のハンドル部は、前記上側端から離間された横方向切断部の夫々の端で終端した、更なる離間された切断部によって、ハンドル部の縦方向の端で開口部を超えて第２の端部パネルに向かって延びている。
【０００８】
好ましい配置では、底部は、互いに折り重ねられる、対向して配置された底部の端部パネルを有する。各側壁は、対向して配置された側部の端部パネルを有する。底部の端部パネルと側部の端部パネルとは、他方の端部パネルを構成する。通常は、パネルの上部、底部、側部、端部は、実質的に矩形である。
【０００９】
本発明の実施形態を以下に詳しく説明する。説明のために添付図面を参照する。
【００１０】
【発明の実施の形態】
カン１２などの複数の物品を収容可能なカートン１１を形成するための厚紙ブランク１０が、図に示されている。このブランク１０は、矩形の底部１３を有し、この底部は、これに回動可能に接続され、互いに対向した底部の端部パネル１４を有する。底部１３の互いに対向した側端部には、側部パネル１５、１６が回動可能に接続されている。各側部パネル１５、１６は、これに回動可能に接続され、互いに対向して配置された側部の端部パネル１７、１８を有する。第１の側部パネル１５には、第１の上部パネル２０が、第１の上端１９に沿って回動可能に接続されており、この上部パネルは、互いに対向して配置された第１の端部パネル２１を有する。第２の側部パネル１６には、第２の上部パネル２３が、第２の上端２２に沿って回動可能に接続されており、この上部パネルは、互いに対向して配置された第２の端部パネル２４を有する。
【００１１】
第１の上端１９に平行な第１の上部パネル２０の周縁部は、この例では、全長に沿い互いに一定間隔を有して複数の折れ易いブリッジ２７を有する切断線２６によってストラップハンドル２５を規定している。この切断線２６は、第１の上部パネルの自由端２９から離れるような方向に傾斜された端部パネルの切断部２８へとつながっている。各切断部２８は、部分的に第１の端部パネル２１中に延び、ストレス緩和半径部３０で終端している。第１の上部パネル２０の中央領域には、ハンドルにアクセスするためのストラップハンドルに隣接して開口部３１が形成されている。
【００１２】
組立てられると第１の上部パネル２０の上に重なる第２の上部パネル２３は、使用時に第１の上部パネル２０のストラップハンドル２５の上に接着される中央の第２のストラップハンドル部３２を有する。第２のストラップハンドル部３２は、互いに平行な切断部３３の間に規定されている。これら切断部は、組立てられたカートン１１の上面で中央に位置されるように配置され、好ましくは、長さに沿い複数の折れ易いブリッジ３４を有する。ハンドル部３２の両端は、第２の端部パネル２４から離間して位置された横方向の切断部３５によって夫々規定されている。横方向の切断部３５は、両端にストレス緩和半径部３６を有すると好ましい。横方向の切断部３５の端部は、夫々に近くの端部パネルから僅かに離れている。
【００１３】
ハンドル部３２の中央部には、作動横方向フラップ３７が形成されている。ハンドルへのアクセスを可能にする開口部３８が、ハンドル部３２の両側の第２の上部パネル２３内に形成されている。
【００１４】
各第２の端部パネル２４には、第２の上部パネル２３と第２の端部パネル２４との間の折り重ね線４０の互いに離間されたところから外方に傾斜された１対の切断部３９が形成されている。折り重ね線４０から離間された両切断部３９の端部には、夫々に、ストレス緩和半径部４１が設けられている。切断部の各対の間の折り重ね線４０は、実際は、折れ易いブリッジ４３が設けられた更なる切断部４２である。この更なる切断部４２と、切断部３９とは、これらの間に、第２の端部パネル２４の補強部４４を各々に規定している。
【００１５】
ブランク１０がカートン１１を形成するように組立てられ、このカートンによって物品が収容されると、ハンドル部３２が図２に示された接着線４５によってストラップハンドル２５に接着され、第１並びに第２の端部パネル２１、２４が図２に示された接着線４６を利用して互いに接着される。更なる接着線４７が、第２の上部パネル２３の自由端を第１の上部パネル２０に取着する。示されるように、接着線４６は、折り重ね線４０の切断部４２に隣接したところから端部パネルの自由端に隣接したところまで延びている。かくして、ストラップハンドル２５は、第２の端部パネルの全長に沿って第２の端部パネル２４に接着され、ハンドルの強度を良くする。
【００１６】
購入者は、カートン１１を持ち上げるとき、指を開口部３１、３８内に入れて、これの下からストラップハンドル２５を握る。フラップ３７は、ストラップハンドル２５の下で折り重ねられる。ハンドルが持ち上げられると、折れ易いブリッジ２７、３４、４３は、ストラップハンドル２５の中央部と第２のハンドル部３２とがカートン１１の上面から持ち上げられるように、切られる。第２の端部パネル２４の補強部４４は、また、上コーナーの物品の外形に従うように内方に引っ張られる。これは、上のコーナーの１つを拡大して大きく示した図５において、更に明らかに示されている。
【００１７】
補強部４４の下の第２の端部フラップ２４の一部が、側部の端部パネル１７、１８に取着されている。結果的に作られたハンドルは強いが、持ち上げる前のオリジナルのカートンは、最小の開口部もしくは表面の不均等性とによって良い外観を維持する。
【００１８】
説明された特徴の正確な形状とディメンションとはデザインの選択の問題であり、本発明の範囲から逸脱することなく改良が果されれば、価値が上がるだろう。例えば、カートンは、瓶のような他のタイプの物品と共に使用されてもよい。
【図面の簡単な説明】
【図１】本発明に係るカートンを形成するための厚紙ブランクの内側を示す。
【図２】幾つかの接着ラインを有する図１のブランクの内側を示す。
【図３】本発明に係るカートンの一側からの斜視図を示す。
【図４】ハンドルが持ち上げられた状態のカートンの他方からの斜視図を示す。
【図５】カートンを通る中心の縦断面の一部分を拡大した図である。
【図１】
2004517782.tif 000003
【図２】
2004517782.tif 000004
【図３】
2004517782.tif 000005
【図４】
2004517782.tif 000006
【図５】
2004517782.tif 000007
【国際公開パンフレット】
2004517782.tif 000008
2004517782.tif 000009
2004517782.tif 000010
2004517782.tif 000011
2004517782.tif 000012
2004517782.tif 000013
2004517782.tif 000014
2004517782.tif 000015
2004517782.tif 000016
2004517782.tif 000017
2004517782.tif 000018
2004517782.tif 000019
2004517782.tif 000020
2004517782.tif 000021
【国際調査報告】
2004517782.tif 000022
2004517782.tif 000023